(57)【要約】      （修正有）【課題】安価で除去・消臭能力が優れ、軽量コンパクトで、何処でも簡単に設置可能な有害物質吸着・分解型消臭装置を提供する。【解決手段】ホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・分解可能な矩形状に形成した濃縮炭ボードと、紫外線が当たり易くする為、メッシュの網目幅を変え、表面に二酸化チタンを塗布した二種類の二重溶着構造型メッシュシートと、ケースの全面に複数の通気穴４ａ、４ｄ、４ｅをそれぞれ設け、且つ、裏面左右に面ファスナー５又は、面ファスナー及び支脚をそれぞれ貼着して設けた軽量二分割型収納ケースから成り、且つ、使用時は用途に応じて支脚を使い分け、壁面やテーブル上等、用途に応じた最適場所に設置可能にして設けたものである。【選択図】図８
0003131645.tif 000002
【実用新案登録請求の範囲】
【請求項１】
学校・病院・老健施設等の公共施設や、ホテルの客室・エレベーター・トイレ等の室内や、車両に設置して環境を改善する装置であって、該装置はホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・分解可能な矩形状に形成した濃縮炭ボード（１）と、紫外線が当たり易くする為、メッシュの網目幅を変え、表面にフッ化アパタイト被服二酸化チタンを塗布し、疎密二種類のメッシュ幅を有するメッシュシートを重合溶着して設けた二重溶着構造型メッシュシート（２）（３）と、ケースの全面に複数の通気穴（４ａ）（４ｂ）（４ｃ）（４ｄ）（４ｅ）（４ｆ）をそれぞれ設け、且つ、裏面左右に面ファスナー（５）又は、面ファスナー（５）及び支脚（６）をそれぞれ貼着して設けた軽量二分割型収納ケース（４）から成り、且つ、使用時は用途に応じて支脚（６）を使い分け、壁面やテーブル上等、用途に応じた最適場所に設置可能にして設けた事を特徴とする有害物質吸着・分解型消臭装置。
【考案の詳細な説明】
【技術分野】
【０００１】
この考案は、学校・病院・老健施設等の公共施設や、ホテルの客室・エレベーター・トイレ等の室内や、車両に設置して環境を改善する有害物質吸着・分解型消臭装置に関するものである。
【背景技術】
【０００２】
従来の消臭装置に使用していた収納ケースは、空気穴が小さく閉塞している為、炭の機能を最大限に発揮出来なかった。
【０００３】
又、商品そのものが重く、取り扱いが容易でなく、更に落下による危険性を考慮すると、もっと軽量で、コンパクトで、高性能な消臭装置にする必要がある。
【０００４】
又、同じ収納ケースの大きさで、機能を最大限に発揮させる為には、炭ボード半分とチタンボール半分を装着した装置では効力が低い為、ケースいっぱいに炭ボードとチタンボールを装着する必要がある。
【０００５】
これまでに、出願されている室内有害物質除去装置の特許文献を参考の為、紹介する。
【特許文献１】特開２００５−１２１２９４
【考案の開示】
【考案が解決しようとする課題】
【０００６】
そこで、上記課題を解決する為に、この考案は安価で除去・消臭能力が優れ、軽量コンパクトで、何処でも簡単に設置可能な有害物質吸着・分解型消臭装置を開発・提供する事にある。
【課題を解決するための手段】
【０００７】
この課題を解決する為の手段として、ホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・分解可能な矩形状に形成した濃縮炭ボードと、紫外線が当たり易くする為、メッシュの網目幅を変え、表面にフッ化アパタイト被服二酸化チタンを塗布し、疎密二種類のメッシュ幅を有するメッシュシートを重合溶着して設けた二重溶着構造型メッシュシートと、ケースの全面に複数の通気穴をそれぞれ設け、且つ、裏面左右に面ファスナー又は、面ファスナー及び支脚をそれぞれ貼着して設けた軽量二分割型収納ケースから成り、且つ、使用時は用途に応じて支脚を使い分け、壁面やテーブル上等、用途に応じた最適場所に設置可能にして設けたものである。
【考案の効果】
【０００８】
この考案の効果として、ホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・分解可能な矩形状に形成した濃縮炭ボードと、紫外線が当たり易くする為、メッシュの網目幅を変え、表面にフッ化アパタイト被服二酸化チタンを塗布し、疎密二種類のメッシュ幅を有するメッシュシートを重合溶着して設けた二重溶着構造型メッシュシートと、ケースの全面に複数の通気穴をそれぞれ設け、且つ、裏面左右に面ファスナー又は、面ファスナー及び支脚をそれぞれ貼着して設けた軽量二分割型収納ケースから成り、且つ、使用時は用途に応じて支脚を使い分け、壁面やテーブル上等、用途に応じた最適場所に設置可能にして設けた事で、安価で除去・消臭能力が優れ、軽量コンパクトで、何処でも簡単に設置可能である。
【０００９】
又、この考案の有害物質吸着・分解型消臭装置を設置する事で、消臭効果、抗菌効果、防汚効果、防カビ効果により、何時でも快適な室内環境を保持し、免疫力の向上及びアトピーや喘息やアレルギー等の環境・健康改善に効果を発揮する。
【００１０】
又、紫外線が当たり易くする為、メッシュの網目幅を変え、表面にフッ化アパタイト被服二酸化チタンを塗布した二種類の二重溶着構造型メッシュシートを使用する事で、有害化学物質を吸着残留し、二酸化チタンで分解可能にする等、極めて有益なる効果を奏するものである。
【考案を実施するための最良の形態】
【００１１】
この考案の最良の形態として、収納ケースは軽量化と環境に優しくリサイクル素材として再生可能なアルミ材を使用し、吸着・分解機能を最大限に発揮する為、ケース全面に複数の通気穴を設け、且つ、用途や使用する環境・場所に適合した設置場所を選定し、適応能力のある消臭装置にする事が重要である。
【実施例１】
【００１２】
そこで、この考案の一実施例を図１〜図８に基づいて詳述すると、学校・病院・老健施設等の公共施設や、ホテルの客室・エレベーター・トイレ等の室内や、車両に設置して環境を改善する装置であって、該装置はホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・分解可能な矩形状に形成した濃縮炭ボード（１）と、紫外線が当たり易くする為、メッシュの網目幅を変え、表面にフッ化アパタイト被服二酸化チタンを塗布し、疎密二種類のメッシュ幅を有するメッシュシートを重合溶着して設けた二重溶着構造型メッシュシート（２）（３）と、ケースの全面に複数の通気穴（４ａ）（４ｂ）（４ｃ）（４ｄ）（４ｅ）（４ｆ）をそれぞれ設け、且つ、裏面左右に面ファスナー（５）又は、面ファスナー（５）及び支脚（６）をそれぞれ貼着して設けた軽量二分割型収納ケース（４）から成り、且つ、使用時は用途に応じて支脚（６）を使い分け、壁面やテーブル上等、用途に応じた最適場所に設置可能にして設けた事を特徴とする有害物質吸着・分解型消臭装置から構成される。
【００１３】
次に、この考案の有害物質吸着・分解型消臭装置の収納ケース（１）の材質及び寸法・形状について説明すると、まず、材質はアルミ製で、大きさは、縦寸法が約８０ｍｍ、横寸法が約１６０ｍｍ、厚さ寸法が約１８ｍｍで板厚寸法が１ｍｍのコンパクトサイズの箱形状に形成され、且つ、該収納ケースは外ケースと内ケースに二分割され、前後方向に引き抜き分解可能に成っていて、又、前後・左右・上下の六面には、長穴形状又は円形状の通気穴（４ａ）（４ｂ）（４ｃ）（４ｄ）（４ｅ）（４ｆ）がそれぞれ設けられ、又、収納ケース上面左右と下面中央部には、抜け防止用ロック穴（４ｈ）と突起部（４ｉ）をそれぞれ設け、更に、収納ケース下部中央には外ケースと内ケースが容易に引き出せる様にする為、半長穴状の切り欠き部（４ｊ）を設け、且つ、濃縮炭ボード（１）を収納した際、ケース内面と濃縮炭ボードが密着しない様にする為、裏面五箇所に打ち抜き穴（４ｇ）を設けて内面を突起させている。
【００１４】
又、裏面左右に面ファスナー（５）又は面ファスナー（５）及び支脚（６）をそれぞれ貼着して設け、前記支脚（６）は、テーブル上等で使用する際に必要で、壁等に設置する際には必要ない為、取り除く。
【００１５】
又、収納ケースに収納する濃縮炭ボード（１）の寸法形状は、縦寸法が７５ｍｍ、横寸法が１５２ｍｍ、厚さ寸法が９ｍｍに形成されている。そして、メッシュ幅が２ｍｍ角と９ｍｍ角の二種類のメッシュシートの寸法形状は、濃縮炭ボード（１）の大きさに統一され、メッシュ幅２ｍｍ角側の厚さ寸法が１ｍｍで、メッシュ幅９ｍｍ角側の厚さ寸法が３．５ｍｍに形成され、メッシュ幅９ｍｍ（疎）側のメッシュシートを前面側にして、二枚を重合溶着し、更に濃縮炭ボード（１）の表面に重合して収納ケース内に収納されている。
【００１６】
次に、本考案の使用方法について説明すると、例えばテーブル上に設置する時は、図８に示す様に収納ケースの裏面左右に貼着した面ファスナー部にアルミ製のＬ字状の支脚（６）を貼着し、斜めに立てて使用する。又、屋内の壁等に設置する時は、支脚は使用せず、面ファスナー部に貼着した粘着テープを使用して任意の位置に設置する。
【産業上の利用可能性】
【００１７】
この考案の有害物質吸着・分解型消臭装置は、安価で除去・消臭能力が優れ、軽量コンパクトで、何処でも簡単に設置可能な為、多くの一般消費者を始め、生活環境保護に携わる多くの関係市場に寄与する点で産業上の利用可能性を有する。
【図面の簡単な説明】
【００１８】
【図１】この考案の一実施例を示し、（Ａ）は平面図で、（Ｂ）は正面図で、（Ｃ）は底面図である。
【図２】この考案の一実施例を示し、（Ａ）は右側面図で、（Ｂ）は左側面図である。
【図３】この考案の一実施例を示し、背面図である。
【図４】この考案の一実施例を示し、図１のａ−ａ矢視断面図である。
【図５】この考案の一実施例を示し、図４のｂ−ｂ矢視断面図である。
【図６】この考案の一実施例を示し、図４のｃ−ｃ矢視断面図である。
【図７】この考案の一実施例を示し、図４のｄ−ｄ矢視断面図である。
【図８】この考案の使用例を示し、斜視図である。
【符号の説明】
【００１９】
１  濃縮炭ボード
２  メッシュシート（疎）
３  メッシュシート（密）
４  収納ケース
４ａ  通気穴（前）
４ｂ  通気穴（後）
４ｃ  通気穴（左）
４ｄ  通気穴（右）
４ｅ  通気穴（上）
４ｆ  通気穴（下）
４ｇ  打ち抜き穴
４ｈ  抜け防止用ロック穴
４ｉ  抜け防止用突起部
４ｊ  切り欠き部
５  面ファスナー
６  支脚
【図１】
0003131645.tif 000003
【図２】
0003131645.tif 000004
【図３】
0003131645.tif 000005
【図４】
0003131645.tif 000006
【図５】
0003131645.tif 000007
【図６】
0003131645.tif 000008
【図７】
0003131645.tif 000009
【図８】
0003131645.tif 000010